(57)【特許請求の範囲】
【請求項１】
被固定部材を固定部材によって断熱材に固定する冷蔵庫において、頭部を有するピンと前記ピンを挿入することにより拡がり前記被対象物を固定するピン補助具とからなり、前記ピンを前記ピン補助具に挿入して前記被対象物を固定した時に、前記ピンの頭部が指でつかみやすいように前記ピンの頭部と前記ピン補助具との間にすき間ができる構造とした固定部材と、前記被固定部材に設けられ、前記ピンを前記ピン補助具から引き抜く際に指で前記ピンの頭部が掴める大きさで前記固定部材の周りに設けられる凹形状部と、を備え、前記凹形状部は、前記ピンの頭部を掴んだ指で凹形状縁を押せる形状であり、前記固定部材を前記被固定部材の前記凹形状部内で留めるようにして前記ピンの頭部が前記冷蔵庫内の食品と干渉しないようにしたことを特徴とする冷蔵庫。
【請求項２】
前記ピンの頭部の形状を長方形としたことを特徴とする請求項１に記載の冷蔵庫。
【請求項３】
前記凹形状部は、直径が２０ｍｍ程度の円形であることを特徴とする請求項１または請求項２に記載の冷蔵庫。
【請求項４】
前記被固定部材が、前記冷蔵庫の庫内に冷気を送る風路を構成するダクトであることを特徴とする請求項１乃至請求３のいずれかに記載の冷蔵庫。
【請求項５】
前記固定部材を前記冷蔵庫内に設けられる仕切り棚で隠すようにしたことを特徴とする請求項１乃至請求４のいずれかに記載の冷蔵庫。
【請求項６】
前記固定部材によって固定される被固定部材の厚さを４．５ｍｍ程度までとしたことを特徴とする請求項１乃至請求５のいずれかに記載の冷蔵庫。
【発明の詳細な説明】
【０００１】
【発明の属する技術分野】
本発明は、頭部の形状を指で掴めて引っ張りやすい形状とした固定具とその固定具と嵌合し被固定物を固定する固定具補助具とを備えた固定部材であるリベットおよびそのリベットを用いて被固定物である冷蔵庫の部品同士を固定する冷凍冷蔵庫に関するものである。
【０００２】
【従来の技術】
図１５は従来のリベットを示す図である。図１５（ａ）はリベット８を構成するピン９を横から見た図、図１５（ｂ）はリベット８を構成するピン補助具３の図、図１５（ｃ）はリベット８を矢印Ａ方向から見た図である。図において、８はリベットで、このリベット８は固定具（ピン）９と固定具補助具（ピン補助具）３により構成されるものである。被固定物をリベット８にて固定するには、複数の被固定物に孔を開け、その孔にピン補助具３を差し込み、そのピン補助具３に設けた穴にピン９を挿入し嵌合することにより被固定物を固定する。
従来、図１５（ｃ）のようにピン９の頭部９ａ、及びピン２とピン補助具３が重なる部分３ａは円板状になっていて、通常同形状になっている。すると、ピン９をピン補助具３から取り外す時に、ピン９の頭部９ａとピン補助具３の頭部３ａとが重なる部分に隙間がないことより、また、ピン９に指をかける部分がないことより、工具を使ってピン９（リベット８）の取り外しを行なっていた。
また、従来の冷凍冷蔵庫においては、各部品はネジのみ又はネジとリベット８にて固定していた。
【０００３】
図１６は従来の冷凍冷蔵庫の冷蔵室６の正面図であり、冷蔵室６に固定されたダクト２６付近の図を示している。図において、６は冷蔵室、３４は板金製の箱体、１５は樹脂製の内箱、２７はダクト２６を覆う樹脂製のダクトカバー、３０はダクトカバー２７に設けられた吹出口、２５はダクトカバー２７を固定するネジ、８はダクトカバー２７を固定するナイロン製のリベットである。
図１７（ａ）は図１６のＡ−Ａ断面図、図１７（ｂ）は図１６のＢ−Ｂ断面図である。図において、１５は樹脂製の内箱、１６はウレタン断熱材、２７は発泡スチロール製のダクト２９を覆う樹脂製のダクトカバー、２８はウレタン断熱材１６に埋め込まれた樹脂製のネジ下穴部品である。２５はネジであり、ネジ下穴部品２８に挿入され、内箱１５に被固定物であるダクトカバー２７を留めている。図１７（ａ）において２６は冷蔵庫の背面にあるダクトで、ダクトカバー２７とダクト２９にて構成されている。図１７（ｂ）において２６は冷蔵庫の天井にあるダクトで、ダクトカバー２７と内箱１５にて構成されている。
【０００４】
冷却器から送られた冷気は、ダクト２６を通りダクトカバー２７の吹出口３０より庫内に吹き出され、庫内食品を冷却する。このダクト２６を構成するダクトカバー２７を冷蔵庫本体（内箱１５）に固定するために、ネジ２５またはリベット８が使用されている。
【０００５】
図１８は図１６のＣ−Ｃ断面図を示す。１５は内箱、１６はウレタン断熱材、２７は樹脂製のダクトカバー、９はリベット８の固定具であるピン、９ａはピン９の頭部、３はリベット８の固定具補助具であるピン補助具、３ａはピン補助具３の頭部である。図１８（ａ）は、ピン９をピン補助具３内に挿入した状態で、図１８（ｂ）はピン９の頭部を指７で押し込み、ピン９を挿入完了（嵌合）した状態の図である。ピン９を押し込むと、図１８（ｂ）のようにピン補助具３の下部１０が開き被固定物であるダクト２７と内箱１５をウレタン断熱材１６に固定する。ここで、この固定に関しては工具を必要としていない。
図１９は図１８（ｂ）のようにリベット８で被固定物である１５、２７が固定された状態から、リベット８（ピン９、ピン補助具３）を取り外す状態を示している。図１９（ａ）のように、ピン９の頭部９ａとピン補助具３の頭部３ａとの間にマイナスドライバ４４などの工具を差し込み、図１９（ｂ）のようにマイナスドライバ４４を捻ってピン９を浮き上がらせてピン９をピン補助具３から引抜いている。
【０００６】
ネジ２５にて固定した被固定物の取り付け、取り外しを行なう際には、取り付け時、取り外し時共にドライバーなどの工具が必要とされるが、上記リベット８において被固定物の取り付け、取り外しを行なう際には、取り外し時は工具が必要とされるが、取り付け時は工具を使わずに指で取り付けることができる。
ここで、ダクトカバー２７やダクト２６をネジ２５やリベット８で固定するのはダクト風路の気密性を保つためで、冷気漏れを無くし庫内の温度分布を一様にするためである。ここでの固定強度は、このダクトカバー２７やダクト２６において冷気漏れがない程度であれば、特に大きなものは必要としない。
尚、図１８、図１９での被固定物はダクトカバー２７と内箱１５を示したが、他の冷蔵庫部品等の被固定物であっても良い。
【０００７】
図２０は冷凍室奥の冷却器室の正面図である。図において、１５は冷蔵庫の内箱、３１は冷却器２２を備えた冷却器室と庫内とを仕切る樹脂製の仕切壁、２５は仕切壁３１を内箱１５に取り付けるネジ、２３は冷却器２２から出た冷気を仕切壁３１に設けられた冷気吹出口３６より庫内に循環させる送風ファンである。図２１は図２０のＡ−Ａ断面図である。図において、１５は内箱、１６はウレタン断熱材、２２は冷却器、２３は送風ファン、２４は送風ファン２３を駆動させるモーター、３１は冷却器２２のある冷却器室と庫内を仕切る仕切壁、３２は発泡スチロール製のダクト、２５は仕切壁３１と内箱１５を留めるネジ、２８はネジ２５を受けるネジ下穴部品である。仕切壁３１はダクト３２を覆うように冷凍室奥面にネジ２５で固定されている。１７は冷却器室からの冷気がネジ２５付近から漏れるのを防ぐシール材である。この仕切壁３１の固定も図１７のダクトカバー２７やダクト２６の固定と同じく冷気漏れがなければ大きな固定強度を必要としない。
【０００８】
図２２は冷蔵庫背面の機械室の圧縮機カバー４２を示す斜視図である。図において、３４は箱体、３９は冷媒圧縮機、４２は板金性の圧縮機カバー、４３は圧縮機カバー４２の通風孔、２５は圧縮機カバー４２を箱体３４に固定するネジ、４０は冷媒銅配管、４１は底板である。圧縮機カバー４２は冷媒圧縮機３９の運転音を遮音するため、また、高温部を手で触れないようにするために取り付けてある。圧縮機カバー４２は図２２では７箇所でネジ２５にて固定されている。
尚、従来例には実開昭５８−１０９８４９号、特開平８−１２１４２６号がある。
【０００９】
【発明が解決しようとする課題】
上記のような従来のリベットでは、リベットを被固定物から取り外す際には、工具等が必要であり作業性が悪かった。また、従来のリベットを用いた冷凍冷蔵庫では、特にダクトやダクトカバーなどをリベットにて冷凍冷蔵庫内に取り付ける位置が冷蔵庫奥面や側面、さらには天井面であったり、また冷凍室奥の冷却器室と庫内とを仕切る仕切壁をリベットにて内箱に取り付ける位置も同様に冷蔵庫の奥面であり、作業性はかなり悪かった。更には取り付け具としてリベットだけではなく、取り外し時だけでなく取り付け時にもドライバー等の工具を使うネジが用いられていた。ここで、ネジやリベットは冷蔵庫の端に取り付けられることが多いため、工具などが入りにくくなる。このような庫内の奥面の狭い場所や天井面において、工具を使用して部品を取り付けたり取外したりする作業は力が入りにくく、作業性は他の場所に比べて悪いものとなり、特にダクトや仕切壁の場合はその作業時間も多く要すという問題点があった。
また圧縮機カバーをネジやリベットにて箱体に取り付ける際には、ネジやリベットの数が多いため取り付け時間が長くかかっていた。冷蔵庫解体時には圧縮機を取り出さなければならないため、取り付けと同様取り外しに多くの作業時間がかかるという問題点があった。
【００１０】
この発明は、かかる問題点を解決するためになされたもので、リベットの固定部であるピンの頭部形状を指で掴みやすい形状とし、リベットを取り外す際に工具を必要とすることのないリベットを作ることを目的としている。また、このリベットを冷蔵庫内の部品固定用に使用し、庫内の狭い箇所や天井面においても工具を必要とせずに簡単に取り付け、取り外し可能なものとすることを目的としている。
以上より、冷蔵庫解体時の作業性、材料の分別性を向上させ、材料のリサイクル率を高めるためにも、多くの部品が短時間で工具を必要とせずに取り外せるリベット及びそのリベットを用いた冷凍冷蔵庫を提供することを目的としている。
【００１１】
【課題を解決するための手段】
この発明に係る冷蔵庫は、被固定部材を固定部材によって断熱材に固定する冷蔵庫において、頭部を有するピンと前記ピンを挿入することにより拡がり前記被対象物を固定するピン補助具とからなり、前記ピンを前記ピン補助具に挿入して前記被対象物を固定した時に、前記ピンの頭部が指でつかみやすいように前記ピンの頭部と前記ピン補助具との間にすき間ができる構造とした固定部材と、前記被固定部材に設けられ、前記ピンを前記ピン補助具から引き抜く際に指で前記ピンの頭部が掴める大きさで前記固定部材の周りに設けられる凹形状部と、を備え、前記固定部材を前記被固定部材の前記凹形状部内で留めるようにして前記ピンの頭部が前記冷蔵庫内の食品と干渉しないようにしたものである。
【００１２】
また、この発明に係る冷蔵庫は、前記ピンの頭部の形状を長方形としたものである。
【００１３】
また、この発明に係る冷蔵庫は、前記凹形状部は、前記ピンの頭部を掴んだ指で凹形状縁を押せる形状であるものである。
【００１４】
また、この発明に係る冷蔵庫は、前記凹形状部は、直径が２０ｍｍ程度の円形であるものである。
【００１５】
また、この発明に係る冷蔵庫は、前記被固定部材が、前記冷蔵庫の庫内に冷気を送る風路を構成するダクトであるものである。
【００１６】
また、この発明に係る冷蔵庫は、前記固定部材を前記冷蔵庫内に設けられる仕切り棚で隠すようにしものである。
【００１７】
また、この発明に係る冷蔵庫は、前記固定部材によって固定される被固定部材の厚さを４．５ｍｍ程度までとしたものである。
【００１８】
【発明の実施の形態】
実施の形態１．
図１は本発明の実施の形態１を示す固定部材であるリベットを横から見た断面図、図２はリベットを上から見た断面図である。図において、１は固定部材であるリベット、２はリベット１を構成する固定具であるピン、３はリベット１を構成し、ピン２が挿入される挿入穴を備え、ピン２と嵌合する固定具補助具であるピン補助具である。
図３は図１、図２のピン２の構造を示す図である。図３（ａ）はピン２を横から見た断面図、図３（ｂ）はピン２を上から見た断面図、図３（ｃ）はピン２を矢印Ａ方向から見た図、図３（ｄ）はピン２を矢印Ｂ方向から見た図である。
図において、２はリベット１を構成するピンであり、ピン２はピン頭部４とピン下部５により構成されている。ピン２がピン補助具３に挿入され押しこまれると、ピン下部５のすべてがピン補助具３内に入ったところでとまり、ピン頭部４はピン補助具３内には入らず挿入完了（嵌合）する。ピン２は、頭部４に４ｍｍ程度のすき間（高さ）を設けており、図３（ｂ）に示すように頭部４全体としての形がＴ字形状となっていて、指で掴みやすい形状となっている。図３（ａ）のようにピン頭部形状４の高さが４ｍｍ程度と指で掴める程度の高さであるため、従来のものより高さが低く、リベット１（ピン２）の被固定物からの飛出し代が小さく目立たず意匠性も良い。
【００１９】
図４はピン２の構造を示す断面図である。図４（ａ）はピン２を横から見た図、図４（ｂ）はピン２を上から見た図、図４（ｃ）は矢印Ａ方向から見た図、図４（ｄ）は矢印Ｂ方向から見た図である。図において、２はリベット１を構成するピン、４はピン２の頭部である。ピン頭部４の形状は突き出て、Ｉ字形になっていて、そのＩ字形状部にはくぼみ（または凸部）４ａが設けられている。そのくぼみ４ａによりピン２がピン補助具３に挿入された際にピン補助具３の外に出た部分であるピン頭部４が掴みやすく、ピン２を引き抜く時に力が入る構造となっている。従来、ピン頭部がＩ字形状で高さが約８ｍｍのものはあったが、Ｉ字形状は掴み難く、また高さが高いため意匠性が良くなかった。
尚、図３、図４でリベット１を構成するピン２の頭部４の形状を示したが、ピン頭部４の形状は図３のＴ字形状の方が図４のＩ字形状よりも指で掴みやすい。
【００２０】
従来のリベット８は図１５に示すようにピン頭部の形状が円形になっていてピン補助具と同様の形状となっており、ピンとピン補助部との隙間がないため指でピンを取り外すことはできない。また、ピン頭部の形状が指で掴めるように突出した構造とはなっておらず、工具を使用しなければピン補助具３からピン２を取り外すことはできない。本実施の形態１では、リベット１を構成しているピン２の構造は、ピン２とピン補助具３が嵌合した状態でピン２とピン補助具３との間に隙間（高さ）を設けるか、その隙間が無いときは、ピン２にI字形状のつまみをつけてそこをつまんでピン２をピン補助具３から引き抜ける構造としているので、ピン２を取り外す時には工具を使わずに指７で掴んで取り外せるようになっている。尚、リベット１のピン補助具３は図１５に示す従来のピン補助具３と共通で、リベット１の固定強度は従来のリベット８と変わらない。また無理に被固定物を分離させた場合において、ネジの場合は締結力が強すぎるために被固定物が破壊されてしまうが、リベットの場合はリベットが硬度の小さいナイロン製のためリベットが先に破壊され被固定物の変形はネジの場合よりもはるかに小さい。
【００２１】
図５は固定部材であるリベット取り付け時のリベット及び被固定部材１１を示した断面図である。図において、２はリベット１を構成するピン、４はピン２の頭部、５はピン２の下部、３はピン２が挿入される穴を備えたピン補助具、１１はリベット１にて断熱材１６に固定される（取り付けられる）被固定物（ここでは２枚）、３３はウレタン発泡時ににウレタン漏れを防止するクラフトテープ、７は指である。図５（ａ）はピン２をピン補助具３に挿入した時の図、図５（ｂ）はピン２をピン補助具３に指７で押し込み嵌合し、被固定部材１１を断熱材１６に取り付け完了（固定）時の図である。リベット１を被固定部材に取り付ける際には、ピン２の頭部４を指７で押し込むことでピン補助具３の下部１０が開き被固定物１１が密着する。
固定部材にリベット１を用いることにより、ネジとは違い取り付けに工具を必要としないため、リベット１の取り付け時間が短縮できる。さらに、ネジ２５で被固定部材１１を冷蔵庫本体に固定する場合には図１７（ｂ）に示すようなネジ下穴部品２８が必ず必要となるが、リベット１で固定する場合にはネジ下穴部品２８のような部品を断熱材１６にあらかじめ埋めておく必要がなくなり組み立て性が良くなる。
【００２２】
図６はリベット取り付け時の図である。図６（ａ）はリベット１の取り付け前、図６（ｂ）はリベット１の取り付け完了時の断面図であり、リベット１と被固定部材１１とクラフトテープ３３を示した図である。図において、１は固定部材であるリベット、２はリベット１を構成するピン、３はピン２が挿入される穴を備えたピンと嵌合するピン補助具、１１はリベット１にて断熱材１６に固定される（取り付けられる）被固定物、１５は被固定物である内箱、３３はウレタン発泡時にウレタン漏れを防止するクラフトテープである。内箱１５のウレタン断熱材側にクラフトテープ３３のみを貼り付けておけば、発泡の際のウレタン漏れがない。図６（ａ）のようにリベット１の被固定物への取り付け前は、内箱１５のリベット１挿入穴はクラフトテープ３３で塞がれており、ウレタン発泡がなされる。図６（ｂ）のようにリベット取り付け時にピン２の先端がクラフトテープ３３を突き破り、被固定物１１と被固定物である内板１５は固定される。以上被固定物１１、１５の固定に本発明のリベット１を用いると、ネジ２５で固定する時に比べて材料費も安価であり、工具も不要となり作業性も良くなる。
【００２３】
図７はピン２とピン補助具３で構成された固定部材であるリベット１により固定された被固定物１１（ここでは２枚）から、リベット１を取り外す時の図である。図７（ａ）はリベット１を取り外し始めるときにリベット１のピン２の頭部４に指７をかけた時の断面図であり、図７（ｂ）はピン２をピン補助具３から指７で取り外して（引き抜いて）いる時の断面図である。図において、２はリベット１を構成するピン、３はリベット１を構成するピン２が挿入される穴を備えたピンと嵌合するピン補助具、１１はリベット１にて断熱材１６に固定される（取り付けられる）被固定物、３３はウレタン発泡時にウレタン漏れを防止するクラフトテープである。４はピン２の頭部、５はピン２の下部であり、ピンの下部５は図７（ａ）のリベット１取り外し始めの時には、ピン補助具３内に全て入っている。
【００２４】
リベット１を取り外す時にピン２の頭部４に手をかけるが、図３（ｂ）のようにピン２の頭部４の形状がＴ字形になっていることにより、頭部４を指７で掴んでピン補助具３からピン２を引き抜くことが可能となった。Ｔ字形は指が引っ掛かりやすくリベット１を引き抜きやすく、また、工具を用いずリベット１を取り外すことができるので、作業性が向上した。従来のリベットは図１９に示すように、マイナスドライバ４４等の工具を必要としていたので作業性が悪かった。
【００２５】
図８は厚さ２mmの被固定物１１を２枚固定した場合の、ピン２のピン補助具３に対する引抜力、挿入力を測定した結果である。ピン２の下部５の形状、および、ピン補助具３は従来ものと同じ形状のためピン２の引抜力、挿入力共に従来と変わらないことがわかる。またこのリベット１にて固定できる被固定物１１の合計の厚さは、厚くなるほどに引抜力が大きくなるため、引抜力があまり大きくならないように4.5mm程度までとしている。尚、このデータはピン２、ピン補助具３ともナイロン樹脂製のものであり、ピンの軸方向に引き抜いたものである。また、特別な治具、工具を用いて引抜く場合、および、リベット１の材質の異なるものの場合はこれらのデータとは異なる。
以上、リベット１の材質としてナイロン樹脂製のものを用いたが、バネ性を持ったものなら硬質ゴムや金属でも使用可能である。
【００２６】
実施の形態２．
図９は本発明の実施の形態２である冷凍冷蔵庫の冷蔵室６の正面図であり、冷蔵室６内に固定されたダクト１３付近の図を示している。
図において、６は冷蔵室、３４は板金製の箱体、１５は樹脂製の内箱、１３はダクト１２を覆う樹脂製のダクトカバー、１８はダクトカバー１３に設けられた吹出口、１はダクトカバー１３を固定するナイロン製のリベットである。
図１０（ａ）は図９のＡ−Ａ断面図、図１０（ｂ）は図９のＢ−Ｂ断面図である。図において、１５は樹脂製の内箱、１６はウレタン断熱材、１３は発泡スチロール製のダクト１２を覆う樹脂製のダクトカバー、３３はウレタン断熱材１６の漏れ防止材であるクラフトテープ、２はピン、４はピン２の頭部、３はピン２が挿入固定されるピン補助具であり、ピン２と補助具３にてリベット１を構成している。リベット１はウレタン断熱材１６内に挿入され、内箱１５と被固定物であるダクトカバー１３を留めている。図１０（ａ）の１２は冷蔵庫の背面にあるダクトで、ダクトカバー１３と発泡スチロール製のダクト１４で構成されている。図１７（ｂ）の１２は、冷蔵庫の天井にあるダクトで、ダクトカバー１３と内箱１５にて構成されている。
【００２７】
このダクト１２において、リベット１のピン２の頭部４を掴みやすくするために、図１０（ａ）のようにダクトカバー１３のリベット１の周りの形状を凹形状とし、リベット１のピン２の頭部形状４が冷蔵室６内食品と干渉しないようにダクトカバー１３の表面からピン２の頭部が出ないように設定している。さらにこの凹形状は円形で直径が２０ｍｍ程度であり、また指を入れやすいようにピン２の頭部形状を、図３（ｃ）のようにピン２の頭部４を長方形としているためにピン２頭部４を指で掴みやすい。
尚、リベット１は通常冷蔵室６内を仕切る棚で隠れていて、冷蔵庫のユーザーがすぐには触れないようにしている。
【００２８】
図１１は、固定部材であるリベット１により固定された被固定物であるダクトカバー１３と内箱１５から、リベット１を取り外す時（ピン２をピン補助具３から引き抜く時）の図である。
図１１（ａ）はリベット１を取り外し始めるときにリベット１のピン２の頭部に指７をかけた時の断面図であり、図１１（ｂ）はピン２をピン補助具３から指７で取り外して（引き抜いて）いる時の断面図である。図において、２はリベット１を構成するピン、３はリベット１を構成するピン２が挿入される穴を備えたピンと嵌合するピン補助具、１３はリベット１にて断熱材１６に固定される（取り付けられる）被固定物であるダクトカバー、１５は内箱、３３はウレタン発泡時にウレタン漏れを防止するクラフトテープである。
図のようにピン２を引き抜く際に指でピン２の頭部４を掴み、ピン２を掴んだ指でダクトカバー１３の凹形状縁１９が押されることで簡単にピン２をピン補助具３から取り外すことが可能となり、冷蔵庫箱体からダクトカバー１３、ダクト１４を工具を必要とせず分離できる。一般的な冷蔵庫において、通常ダクトは、樹脂材、発泡スチロールで構成されており、また冷蔵庫本体はウレタン系断熱材、鉄板、樹脂材で構成されているため、ダクトが工具なしで取外せることが可能になると、冷蔵庫の解体性や材料の分別性が良くなり、リサイクル率が向上する。
【００２９】
実施の形態３．
図１２は本発明の実施の形態３である冷凍室奥の冷却器室の正面図である。図において、３４は冷蔵庫の箱体、１５は冷蔵庫の内箱、２２は冷却器、２０は冷却器２２を備えた冷却器室と庫内とを仕切る樹脂製の仕切壁、１は仕切壁２０を内箱１５に取り付ける樹脂製のリベットで、リベット１はピン２とピン補助具３で構成されている。３５は仕切壁２０の冷気吹出口、２３は冷却器２２から出た冷気を仕切壁２０に設けられた冷気吹出口３５より庫内に循環させる送風ファンである。
仕切壁２０のリベット１取付け部は図１２に示すように仕切壁端部になるが、リベット１の取り付け、取り外しに工具を必要としないので短時間で仕切壁２０の取り付け、取り外しが可能となり作業性が向上する。このような位置において、従来のリベット８ではピン９を取り外す際に工具を入れにくく、取り外しに時間が係る。また冷蔵庫解体時においてダクト１２と同様に発泡スチロールを冷蔵庫本体から分離でき、さらにモーター２４や冷却器２２なども取り外しやすくなる。冷蔵庫本体から、モーターの巻線、冷却器のアルミフィンと銅管などの材料の取り出しやすさが良くなるため分別性も向上し、材料のリサイクル率が高められる。
【００３０】
図１３は図１２のＡ−Ａ断面図である。図において、１５は内箱、１６はウレタン断熱材、２２は冷却器、２３は送風ファン、２４は送風ファン２３を駆動させるモーター、２０は冷却器２２の有る冷却器室と庫内を仕切る仕切壁、２１は発泡スチロール製のダクトである。１は仕切壁２０と内箱１５をウレタン断熱材１６に留める固定部材であるリベットであり、ピン２とピン補助具３から構成されている。仕切壁２０はダクト２１を覆うように冷凍室奥面にリベット１で固定されている。１７は冷却器室からの冷気がリベット１付近から漏れるのを防ぐシール材である。
この仕切壁２０の固定も実施の形態１、２のダクトカバー１３やダクト１２の固定と同じく冷気漏れがない程度にあまり大きな固定強度を必要としない。
【００３１】
実施の形態４．
図１４は本発明の実施の形態４である冷蔵庫背面の機械室の斜視図である。図において、３４は冷蔵庫箱体、３９は冷媒圧縮機、４２は板金製の圧縮機カバー、４３は圧縮機カバー４２の通風孔、１は圧縮機カバー４２を箱体３４に固定する金属製のリベット、４０は冷媒銅配管、４１は底板である。圧縮機カバー４２は冷媒圧縮機３９の運転音を遮音するため、また、高温部を手で触れないようにするために取り付けてある。圧縮機カバー４２はここでは７箇所でリベット１にて固定している。ここで使用されるリベット１も構造的には実施の形態１のリベットと同じであるが、材質を金属製としている。ここで、リベット１の材質を金属製とし、耐熱性のある高温に耐えうるリベットとしている。尚、金属製でなくても、高温に耐えうる材料であれば良い。
【００３２】
また、冷蔵庫解体時には、実施の形態１に記載した通り、圧縮機カバー３７を工具なしで取り外せるので、ネジ２５で固定する場合よりも作業時間がはるかに短縮され、冷媒圧縮機３９を冷蔵庫本体から容易に取り外せるようになり、被固定物の分離時の作業性、冷蔵庫解体時の作業性、材料の分別性を向上させ、固定部材であるリベットや被固定部材である冷蔵庫の各部品の材料のリサイクル率が高められる。
【００３３】
以上、固定部材であるリベットを構成する固定具（ピン）と固定補助具（ピン補助具）は、被固定部材と別体に設けたが、固定補助具を被固定部材と一体に設けても良い。しかしながら、固定補助具と被固定部材を一体化すると、被固定部材の構造が複雑になることより、別体に設ける方が冷蔵庫部品の構造が容易になる。
【００３４】
【発明の効果】
この発明は、以上説明したように構成されているので、以下に記載されるような効果を奏する。
【００３５】
被固定部材を固定部材によって断熱材に固定する冷蔵庫において、頭部を有するピンと前記ピンを挿入することにより拡がり前記被対象物を固定するピン補助具とからなり、前記ピンを前記ピン補助具に挿入して前記被対象物を固定した時に、前記ピンの頭部が指でつかみやすいように前記ピンの頭部と前記ピン補助具との間にすき間ができる構造とした固定部材と、前記被固定部材に設けられ、前記ピンを前記ピン補助具から引き抜く際に指で前記ピンの頭部が掴める大きさで前記固定部材の周りに設けられる凹形状部と、を備え、前記固定部材を前記被固定部材の前記凹形状部内で留めるようにして前記ピンの頭部が前記冷蔵庫内の食品と干渉しないようにしたので、リベット取り外し時に工具を必要とすることなくピンとピン補助具を指で掴んで分離でき、被固定物の分離時の作業性、冷蔵庫解体時の作業性、材料の分別性を向上させ、材料のリサイクル率を高められる。また、固定部材が庫内の食品と干渉しない。
【００３６】
また、前記ピンの頭部の形状を長方形としたので、ピンの頭部を指で掴みやすい。また、工具を必要とすることなくリベットを取り外すことができ、作業性が良くなる。
【００３７】
また、前記凹形状部は、前記ピンの頭部を掴んだ指で凹形状縁を押せる形状であるので、指で簡単にピンをピン補助具から取り外すことが可能となり、冷蔵庫本体から工具を必要とせず分離できる。
【００３８】
また、前記被固定部材が、前記冷蔵庫の庫内に冷気を送る風路を構成するダクトであるので、解体時には工具を必要とすることなくリベットを取り外すことができ、作業性が向上し作業時間が短縮された。
【００３９】
また、前記凹形状部は、直径が２０ｍｍ程度の円形であるので、指でピン頭部が掴める。
【００４０】
また、前記固定部材を前記冷蔵庫内に設けられる仕切り棚で隠すようにしたので、冷蔵庫のユーザーがすぐには触れられない。
【００４１】
また、前記固定部材によって固定される被固定部材の厚さを４．５ｍｍ程度までとしたので、ピンの引き抜き力があまり大きくならない。
【図面の簡単な説明】
【図１】  本発明の実施の形態１を示すリベットの要部断面図である。
【図２】  本発明の実施の形態１を示すリベットの要部断面図である。
【図３】  本発明の実施の形態１を示すリベットを構成するピン形状を示す図である。
【図４】  本発明の実施の形態１を示すリベットを構成するピン形状を示す図である。
【図５】  本発明の実施の形態１を示すリベット取り付け時のリベット及び被固定物を示す図である。
【図６】  本発明の実施の形態１を示すリベット取り付け前のクラフトテープが貼り付けられた内箱付近を示す図である。
【図７】  本発明の実施の形態１を示すリベット取り外し時のリベット及び被固定物を示す図である。
【図８】  本発明の実施の形態１を示すリベットの引抜力、挿入力を示す図である。
【図９】   本発明の実施の形態２を示す冷蔵室の正面図である。
【図１０】  図９のＡ−Ａ断面図、Ｂ−Ｂ断面図である。
【図１１】  本発明の実施の形態２を示すリベット部付近の図である。
【図１２】  本発明の実施の形態３を示す冷却器室の正面図である。
【図１３】  図１２のＡ−Ａ断面図である。
【図１４】  本発明の実施の形態４を示す機械室付近の斜視図である。
【図１５】  従来のリベットを示す断面図である。
【図１６】  従来の冷蔵室の正面図である。
【図１７】  図１６のＡ−Ａ断面図、Ｂ−Ｂ断面図である。
【図１８】  従来のリベット取り付け時のリベット及び被固定物を示す図である。
【図１９】  従来のリベット取り外し時のリベット及び被固定物を示す図である。
【図２０】  従来の冷却器室の正面図である。
【図２１】  図２０のＡ−Ａ断面図である。
【図２２】  従来の機械室付近の斜視図である。
【符号の説明】
１  リベット、２  ピン、３  ピン補助具、４ ピン頭部、５ ピン下部、６  冷蔵室、７  指、８  従来のリベット、９  従来のリベットのピン、１０  ピン補助具の下部、１１  被固定物、１２  ダクト、１３  ダクトカバー、１４  ダクト、１５  内箱、１６  ウレタン断熱材、１７  シール材、１８  ダクトカバー吹出口、１９  ダクトカバー凹形状縁、２０  仕切壁、２１  ダクト、２２  冷却器、２３  送風ファン、２４  モーター、２５  ネジ、２６  従来のダクト、２７  従来のダクトカバー、２８  ネジ下穴部品、２９  ダクト、３０  従来のダクトカバーの吹出口、３１  従来の仕切壁、３２  従来のダクト、３３  クラフトテープ、３４  箱体、３５  仕切壁の冷気吹出口、３６  仕切壁の冷気吹出口、３８  リベット、３９  冷媒圧縮機、４０  冷媒銅配管、４１  底板、４２  圧縮機カバー、４３  通風孔。
【図１】
0004013382.tif 000002
【図２】
0004013382.tif 000003
【図３】
0004013382.tif 000004
【図４】
0004013382.tif 000005
【図５】
0004013382.tif 000006
【図６】
0004013382.tif 000007
【図７】
0004013382.tif 000008
【図８】
0004013382.tif 000009
【図９】
0004013382.tif 000010
【図１０】
0004013382.tif 000011
【図１１】
0004013382.tif 000012
【図１２】
0004013382.tif 000013
【図１３】
0004013382.tif 000014
【図１４】
0004013382.tif 000015
【図１５】
0004013382.tif 000016
【図１６】
0004013382.tif 000017
【図１７】
0004013382.tif 000018
【図１８】
0004013382.tif 000019
【図１９】
0004013382.tif 000020
【図２０】
0004013382.tif 000021
【図２１】
0004013382.tif 000022
【図２２】
0004013382.tif 000023